(57)【要約】【課題】より簡易に取付パネルへ固定することができる回路遮断器を提供する。【解決手段】ロック部材３０において、ロック部３２を、本体ケース４の底面から下方へ突出するロック位置と、本体ケース４内へ埋入するアンロック位置との間を上下にスライド可能とするとともに、ロック部材３０に、ロック部３２を下方へ付勢し、ロック部材３０に上方への負荷がかけられていない状態ではロック部３２をロック位置で保持する板バネ部３３を設けた。そのため、前掛止片８を前スリット２１に挿通させ、前掛止片８が前スリット２１の後端に掛止されるように回路遮断器１を押し込むだけで、ロック部３２は自動的にアンロック位置側へスライドするとともに、最終的にロック位置へ復帰して前スリット２１の前端と当接し、回路遮断器１が取付パネル２０へ固定されることになる。【選択図】図４
2018186063.tif 000002
【特許請求の範囲】
【請求項１】
本体ケースの底面から下方へ鉤状の掛止片が突設されているとともに、前記本体ケースの底部に、前記本体ケースの底面から下方へ突出可能なロック部を備えたロック部材が設けられており、
取付パネルに開設されたスリットに前記掛止片を挿通させ、前記スリットの長手方向の一端に前記掛止片を掛止させるとともに、前記ロック部を前記スリット内に位置させ、前記スリットの他端と前記ロック部とを当接させることにより前記取付パネルに固定される回路遮断器であって、
前記ロック部が、前記本体ケースの底面から下方へ突出するロック位置と、前記本体ケース内へ埋入するアンロック位置との間を上下にスライド可能となっているとともに、
前記ロック部材に、前記ロック部を下方へ付勢し、前記ロック部材に上方への負荷がかけられていない状態では前記ロック部を前記ロック位置で保持する弾性手段が設けられていることを特徴とする回路遮断器。
【発明の詳細な説明】
【技術分野】
【０００１】
本発明は、たとえば分電盤内等に設置される回路遮断器に関するものである。
【背景技術】
【０００２】
従来、回路遮断器を分電盤内に設置する際には、取付パネルを介することが一般的である。そして、回路遮断器を取付パネルに固定する一般的な構造としては、取付パネルにスリットを開設するとともに、回路遮断器の底面に、スリットに掛止する掛止片を設けるといった構造があり、回路遮断器の電源側端子側を後側、負荷側端子側を前側とすると、スリットを介して掛止片を取付パネルの下側まで突出させた後、回路遮断器を後側へ押し込むことで、スリットの後端に掛止片を掛止させるようになっている。ただ、当該状態のままでは回路遮断器を固定したことにはならない。そこで、たとえば特許文献１に記載の発明では、回路遮断器に、上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００３】
【特許文献１】特許第４１５３１５５号公報
【発明の概要】
【発明が解決しようとする課題】
【０００４】
しかしながら、上記特許文献１に記載の発明では、特に回路遮断器の取付パネルへの固定時に一々ロックレバーを操作しなければならず、作業が煩わしい、ロックのし忘れが起こる等の問題があった。
【０００５】
そこで、本発明は、上記問題に鑑みなされたものであって、より簡易に取付パネルへ固定することができる回路遮断器を提供しようとするものである。
【課題を解決するための手段】
【０００６】
上記目的を達成するために、本発明は、本体ケースの底面から下方へ鉤状の掛止片が突設されているとともに、前記本体ケースの底部に、前記本体ケースの底面から下方へ突出可能なロック部を備えたロック部材が設けられており、取付パネルに開設されたスリットに前記掛止片を挿通させ、前記スリットの長手方向の一端に前記掛止片を掛止させるとともに、前記ロック部を前記スリット内に位置させ、前記スリットの他端と前記ロック部とを当接させることにより前記取付パネルに固定される回路遮断器であって、前記ロック部が、前記本体ケースの底面から下方へ突出するロック位置と、前記本体ケース内へ埋入するアンロック位置との間を上下にスライド可能となっているとともに、前記ロック部材に、前記ロック部を下方へ付勢し、前記ロック部材に上方への負荷がかけられていない状態では前記ロック部を前記ロック位置で保持する弾性手段が設けられていることを特徴とする。
【発明の効果】
【０００７】
本発明によれば、ロック部材において、ロック部が、本体ケースの底面から下方へ突出するロック位置と、本体ケース内へ埋入するアンロック位置との間を上下にスライド可能となっているとともに、ロック部材に、ロック部を下方へ付勢し、ロック部材に上方への負荷がかけられていない状態ではロック部をロック位置で保持する弾性手段が設けられている。そのため、掛止片をスリットに挿通させ、掛止片がスリットの一端に掛止されるように回路遮断器を押し込むだけで、ロック部は自動的にアンロック位置側へスライドするとともに、最終的にロック位置へ復帰して回路遮断器が取付パネルへ固定されることになる。すなわち、作業者は、一々ロック部材を操作せずとも、回路遮断器を取付パネルへ固定することができる。したがって、ロックをし忘れたりすることもなく、従来よりも簡易に回路遮断器を取付パネルへ固定することができる。
【図面の簡単な説明】
【０００８】
【図１】取付パネルへ固定された状態にある回路遮断器を示した斜視説明図である。
【図２】取付パネルへ固定された状態にある回路遮断器を側方から示した説明図である。
【図３】ロック部材を示した説明図であり、（ａ）は側面図、（ｂ）は前面図、（ｃ）は背面図である。
【図４】ロック部材により回路遮断器がロックされた状態を示した説明図である。
【図５】ロック部材によるロックが解除された状態を示した説明図である。
【図６】ロック部材の変更例を示した説明図である。
【図７】変更例となるロック部材により回路遮断器がロックされた状態を示した説明図である。
【図８】変更例となるロック部材によるロックが解除された状態を示した説明図である。
【発明を実施するための形態】
【０００９】
以下、本発明の一実施形態となる回路遮断器について、図面にもとづき詳細に説明する。
図１は、取付パネル２０へ固定された状態にある回路遮断器１を示した斜視説明図であり、図２は、同状態にある回路遮断器１を側方から示した説明図である。図３は、ロック部材３０を示した説明図であり、（ａ）は側面図、（ｂ）は前面図、（ｃ）は背面図である。図４は、ロック部材３０により回路遮断器１がロックされた状態を示した説明図であり、図５は、ロック部材３０によるロックが解除された状態を示した説明図である。なお、負荷側端子３側を回路遮断器１の前側として説明する。
【００１０】
回路遮断器１は、合成樹脂製の左右一対のケースを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。また、本体ケース４の底面には、後方へ折れ曲がる鉤状に成形された一組の掛止片（前掛止片８及び後掛止片９）が下方へ突設されている。なお、本体ケース４内には、図示しない過電流検知機構も設けられており、過電流を検知すると上記遮断機構が開動作するようになっている。
【００１１】
また、回路遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００１２】
一方、回路遮断器１の前面は、前側へ向かって下降傾斜する傾斜面に形成されており、該傾斜面には、負荷配線（図示せず）を挿入接続可能な３つの端子Ｌ１、Ｌ２、Ｌ３（なお、端子Ｌ２に関してはカバー部材１０により覆われているため図示しない）を傾斜方向へ一列に備えてなる負荷側端子３が配置されている。各端子Ｌ１〜Ｌ３は、傾斜面に直交する方向へ負荷配線を挿入可能な端子孔５を有するとともに、本体ケース４内における端子孔５の内側となる位置に設置され、端子孔５を介して挿入された負荷配線に接触可能とされた端子金具（図示せず）を有しており、所謂速結端子として機能するようになっている。
【００１３】
また、各端子Ｌ１〜Ｌ３では、端子孔５の下側に隣接して、絶縁抵抗測定試験を行うための計器の測定端子を差し込み可能な差込孔６が開設されている。各差込孔６は、測定端子の差し込み方向が上下方向となるように、すなわち負荷配線の挿入方向とは異なる方向となるように開設されている。また、本体ケース４における差込孔６の内側となる位置には、隣接した端子孔５の内側にある端子金具に接触する測定用金具（図示せず）が配置されている。さらに、回路遮断器１の前面には、端子Ｌ１〜Ｌ３のうち使用しない端子及び差込孔６を被覆するカバー部材１０が、案内壁１１に沿ってスライド可能に取り付けられている。
【００１４】
加えて、本体ケース４の底部前端には、下方へ開口しており、後述するロック部材３０の一部を収納可能な収納凹部２５が設けられている。また、本体ケース４の前面底部には、収納凹部２５と連通する操作窓２６が開設されている。そして、この収納凹部２５に、回路遮断器１の取付パネル２０からの脱落を防止するためのロック部材３０が組み付けられている。
【００１５】
ロック部材３０は、上下方向へ延びる帯状の立ち上げ部３１ａ、立ち上げ部３１ａの上端から前側へ突出する摘み部３１ｂ、及び立ち上げ部３１ａの下端から後側へ突出する基部３１ｃを有する操作片３１と、基部３１ｃから下方へ突出するロック部３２と、弾性を有して上下方向へ伸縮する後面視くの字状の板バネ部３３とを一体的に備えてなる。当該ロック部材３０は、板バネ部３３が収納凹部２５内に収納され、操作片３１が操作窓２６を介して本体ケース４の前方に突出した状態で組み付けられている。
【００１６】
そして、上記ロック部材３０は、通常（ロック部材３０に上方への負荷がかけられていない状態）、板バネ部３３の付勢力により操作片３１の基部３１ｃが操作窓２６の下端に当接した状態にあり、ロック部３２は本体ケース４の底面よりも下方へ突出したロック位置で保持されている。また、直接ロック部３２に上方への負荷がかかったり、板バネ部３３の付勢力に抗して操作片３１が上方へ操作されたりして、操作片３１の基部３１ｃが操作窓２６の上端に当接するまで移動すると、ロック部３２は本体ケース４内へ埋入したアンロック位置へ移動することになる。
【００１７】
一方、取付パネル２０は、従来周知のものであって、前掛止片８を挿通可能な前スリット２１と、後掛止片９を挿通可能な後スリット２２とが開設されてなる。そして、この前スリット２１及び後スリット２２は、回路遮断器１の並設方向へ所定間隔毎に複数設けられている。尚、前スリット２１の前後長さと、ロック位置にあるロック部３２と前掛止片８の折れ曲がり部との前後方向での距離とは同じとなっている。
【００１８】
ここで、上記ロック部材３０を有する回路遮断器１の取付パネル２０への着脱作業について説明する。
まず、回路遮断器１を取付パネル２０に固定するにあたっては、前掛止片８を前スリット２１に、後掛止片９を後スリット２２に夫々挿通させるとともに、ロック位置にあるロック部３２を、前スリット２１よりも前側において取付パネル２０表面上に載置させた状態とする。そして、当該状態から、前掛止片８が前スリット２１の後端に、後掛止片９が後スリット２２の後端に夫々掛止するように、回路遮断器１を後側へ押し込めばよい。すると、回路遮断器１の後側への移動に伴い、ロック部３２に直接上方への負荷がかかるため、ロック部３２は自動的にアンロック位置側へ移動する。そして、前掛止片８が前スリット２１の後端に、後掛止片９が後スリット２２の後端に夫々掛止する位置に達したことをもって、ロック部３２が前スリット２１の上方に達し、ロック部３２にかかっていた負荷が解除される。したがって、板バネ部３３の付勢力により、前スリット２１内へ自動的に突出してロック位置へ復帰したロック部３２が前スリット２１の前端に当接し（図４）、回路遮断器１が取付パネル２０へ固定されることになる。このように回路遮断器１の固定については、作業者によるロック部材３０の操作を必要としない。
【００１９】
一方、回路遮断器１を取付パネル２０から取り外すにあたっては、操作片３１を上方へ操作して、ロック部３２をアンロック位置へ移動させる。すると、ロック部３２と前スリット２１の前端との干渉が解除される（図５）、すなわち回路遮断器１の取付パネル２０への固定が解除されるため、操作片３１を引き上げた状態のまま、回路遮断器１を前側へ引き出し（ロック部３２が前スリット２１よりも前側へ位置するまで引き出し）、前掛止片８と前スリット２１との掛止状態、及び後掛止片９と後スリット２２との掛止状態を夫々解除する。その後、回路遮断器１を更に前側へ引き出しつつ、前掛止片８を前スリット２１から、後掛止片９を後スリット２２から夫々抜き取ればよい。なお、各掛止片８、９と各スリット２１、２２との掛止状態を解除した時点で、操作片３１の引き上げ操作についても解除してよい。
【００２０】
以上のような構成を有する回路遮断器１によれば、ロック部材３０において、ロック部３２が、本体ケース４の底面から下方へ突出するロック位置と、本体ケース４内へ埋入するアンロック位置との間を上下にスライド可能となっているとともに、ロック部材３０に、ロック部３２を下方へ付勢し、ロック部材３０に上方への負荷がかけられていない状態ではロック部３２をロック位置で保持する板バネ部３３が設けられている。そのため、前掛止片８を前スリット２１に挿通させ、前掛止片８が前スリット２１の後端に掛止されるように回路遮断器１を押し込むだけで、ロック部３２は自動的にアンロック位置側へスライドするとともに、最終的にロック位置へ復帰して前スリット２１の前端と当接し、回路遮断器１が取付パネル２０へ固定されることになる。すなわち、作業者にしてみると、回路遮断器１の取付パネル２０への固定に際して、一々ロック部材３０を操作する必要がない。したがって、ロックをし忘れたりすることもなく、従来よりも簡易に回路遮断器１を取付パネル２０へ固定することができる。
【００２１】
なお、本発明の回路遮断器に係る構成は、上記実施形態の態様に何ら限定されるものではなく、回路遮断器の全体的な構造は勿論、ロック部材や取付パネルへの固定に係る構成等についても、本発明の趣旨を逸脱しない範囲で、必要に応じて適宜変更することができる。
【００２２】
たとえば、上記実施形態では、本体ケースの底面に２つの掛止片を設けているが、１つしか設けないとしてもよいし、掛止片の方向についても前側に折れ曲がるような鉤状であってもよく、そのような掛止片の形状の違いやスリットの長さ等に応じて、ロック部材の位置も適宜変更可能である。
【００２３】
また、上記実施形態では、弾性手段を板バネ部としているが、弾性手段としてコイルバネを取り付けてもよい。以下、コイルバネ１３３を採用したロック部材１３０について、図６〜図８をもとに説明する。図６は、変更例となるロック部材１３０を示した説明図である。図７は、ロック部材１３０によって回路遮断器がロックされた状態を示した説明図であり、図８は、ロック部材１３０によるロックが解除された状態を示した説明図である。
【００２４】
ロック部材１３０は、上記実施形態のロック部材３０同様、上下方向へ延びる帯状の立ち上げ部１３１ａ、立ち上げ部１３１ａの上端から前側へ突出する摘み部１３１ｂ、及び立ち上げ部１３１ａの下端から後側へ突出する基部１３１ｃを有する操作片１３１と、基部１３１ｃから下方へ突出するロック部１３２とを一体的に備えてなる。ただ、ロック部１３２の上面には、板バネ部３３の代わりに、上方へ突出する取付軸１３２ａが設けられており、当該取付軸１３２ａを自身内へ差し込むようにしてコイルバネ１３３が取り付けられている。また、ロック部１３２における取付軸１３２ａの左右両側には、ロック部材１３０の本体ケース１０４への取付時に本体ケース１０４の表面（具体的には、収納凹部１２５の内面）に当接し、ロック部材３０の上下方向への移動をスムーズに案内するため案内ブロック１３２ｂ、１３２ｂが設けられている。そして、このようなロック部材１３０は、本体ケース１０４の底部前端に設けられた収納凹部１２５内に案内ブロック１３２ｂ、１３２ｂやコイルバネ１３３が収納され、操作片１３１が操作窓１２６を介して本体ケース１０４の前方に突出した状態で組み付けられている。
【００２５】
そして、上記ロック部材１３０も、ロック部材３０同様、通常はコイルバネ１３３の付勢力により、ロック部１３２が本体ケース１０４の底面よりも下方へ突出したロック位置で保持されている。また、操作片１３１が上方へ操作されたり、直接ロック部１３２に上方への負荷がかかったりすると、ロック部１３２は本体ケース１０４内へ埋入したアンロック位置へ移動するようになっている。
【００２６】
したがって、ロック部材１３０を有する回路遮断器の取付パネル２０への着脱作業も同じであり、回路遮断器の取付パネル２０への取り付けに際しては、回路遮断器が有する前後の掛止片を夫々対応するスリットに挿通させるとともに、ロック位置にあるロック部１３２を、前スリット２１よりも前側において取付パネル２０表面上に載置させた状態とする。そして、当該状態から回路遮断器を後側へ押し込むように操作すれば、当該操作に伴ってロック部１３２が自動的に上下動し、最終的にロック位置へ復帰したロック部１３２が前スリット２１内へ突出する格好となって（図７）、回路遮断器が取付パネル２０へ固定されることになる。一方、回路遮断器の取付パネル２０からの取り外しに際しては、操作片１３１を上方へ操作してロック部１３２をアンロック位置へ移動させることにより、ロック部１３２を取付パネル２０よりも上方まで引き上げた（図８）後、回路遮断器を前側へ抜き取るように移動させればよい。
【００２７】
以上のようなロック部材１３０を設けたとしても、作業者にしてみると、回路遮断器の取付パネル２０への固定に際して、一々ロック部材１３０を操作する必要がない。したがって、ロックをし忘れたりすることもなく、従来よりも簡易に回路遮断器を取付パネル２０へ固定することができるという上記実施形態の回路遮断器１と同じ効果を奏することができる。
【符号の説明】
【００２８】
１・・回路遮断器、２・・電源側端子、３・・負荷側端子、４、１０４・・本体ケース、８・・前掛止片、９・・後掛止片、２０・・取付パネル、２１・・前スリット、２２・・後スリット、２５、１２５・・収納凹部、２６、１２６・・操作窓、３０、１３０・・ロック部材、３１、１３１・・操作片、３２、１３２・・ロック部、３３・・板バネ部（弾性手段）、１３３・・コイルバネ（弾性手段）。
【図１】
2018186063.tif 000003
【図２】
2018186063.tif 000004
【図３】
2018186063.tif 000005
【図４】
2018186063.tif 000006
【図５】
2018186063.tif 000007
【図６】
2018186063.tif 000008
【図７】
2018186063.tif 000009
【図８】
2018186063.tif 000010